(57)【特許請求の範囲】
【請求項１】
中央のハブと、環状のリムと、前記ハブ及び前記リムを連結する複数本のスポーク芯金とを有するステアリング本体に、前記複数本のスポーク芯金に対応して取り付けられる複数のオーナメントを備え、
前記複数のオーナメントは、左右一対の第１及び第２オーナメントと、前記第１及び第２オーナメントの対向端面部にスライド挿入可能な第３オーナメントとからなり、
前記第１オーナメント及び前記第３オーナメントの間に隙間を形成する対向端面と、前記第２オーナメント及び第３オーナメントの間に隙間を形成する対向端面とが、前記ステアリング本体の正面を向いた運転者の視線に対して交差して斜めに配置された傾斜面とされてなることを特徴とするステアリングホイール用オーナメント。
【請求項２】
中央のハブと、環状のリムと、前記ハブ及び前記リムを連結する複数本のスポーク芯金とを有するステアリング本体に、前記複数本のスポーク芯金に対応して取り付けられる複数のオーナメントを備え、
前記複数のオーナメントは、左右一対の第１及び第２オーナメントと、前記第１及び第２オーナメントの対向端面部にスライド挿入可能な第３オーナメントとからなり、
前記第１オーナメント及び前記第３オーナメントの見切り面と、前記第２オーナメント及び第３オーナメントの見切り面とが、傾斜して設定されてなることを特徴とするステアリングホイール用オーナメント。
【請求項３】
前記第３オーナメントの上下方向位置を規定する第１取付部と、前記第３オーナメントの左右方向位置を規定する第２取付部とが、前記第１及び第２オーナメントの対向端面部の間において交差して設けられ、
前記第１取付部は、前記第１及び第２オーナメントの対向端面部に設けた取付板部又は取付凹部と、前記第３オーナメントの両端面部に設けた取付凹部又は取付板部とであり、
前記第２取付部は、前記第１及び第２オーナメントの対向端面部に前記取付板部と交差して設けた案内リブ、又は前記取付凹部と交差して設けた案内凹部と、前記第３オーナメントの両端面部に前記取付凹部と交差して設けた案内凹部、又は前記取付板部と交差して設けた案内リブとであることを特徴とする請求項１又は２記載のステアリングホイール用オーナメント。
【請求項４】
前記第１取付部及び前記第２取付部は、前記第１及び第２オーナメントの対向端面部に前記第３オーナメントをスライド挿入したとき、所定の挿入範囲で圧入された構成を有してなることを特徴とする請求項３記載のステアリングホイール用オーナメント。
【発明の詳細な説明】
【技術分野】
【０００１】
本発明は、ステアリングホイール本体の表面の美観を向上させるステアリングホイール用オーナメントに係り、特に、複数本のスポーク部に跨って取り付けられるステアリングホイール用オーナメントに関する。
【背景技術】
【０００２】
自動車用ステアリングホイールの一例としては、円環状のリング部と、リング部の中央に配設されるパッド部と、リング部からパッド部に向かって延びる略Ｔ字形の３本のスポーク部とを有するステアリングホイール本体がある。このステアリングホイール本体のパッド部の外周域には、単一のガーニッシュ（オーナメント）が中間部側の２本のスポーク部と後部側の１本のスポーク部とからなる３本のスポーク部に跨って取り付けられている（例えば、特許文献１参照）。
【０００３】
この種のオーナメントとしては、単一のオーナメントに代えて、中間部側の２本のスポーク部と対応する左右一対の中間部側オーナメントと、後部側の１本のスポーク部に対応する後部側オーナメントとを別体に形成した３つの内装部品からなるオーナメントがある。このオーナメントは、左右一対の中間部側オーナメントの対向端面部の間に後部側オーナメントの両側の端面部を突き合わせた状態で、一対の中間部側オーナメントのそれぞれの裏面から下方に向けて突出した筒状ボスに対して、後部側オーナメントの裏面から突出した屈曲状ブラケットをねじ締めにより締付固定することでオーナメント組立体として組み立てられる。
【先行技術文献】
【特許文献】
【０００４】
【特許文献１】特開２００９−２０８５７１号公報
【発明の概要】
【発明が解決しようとする課題】
【０００５】
上記従来のオーナメント組立体では、一対の中間部側オーナメントの対向端面部と後部側オーナメントの両側の端面部との突き合わせ部分が表面に現れる取付構造となるため、この突き合わせ部分の凹溝状の隙間は目立ちやすく明瞭に出現する。その結果、目障りな凹溝状の間隙がステアリングホイール本体の外観を低下させる場合があり、ステアリングホイール本体の外観意匠性を向上させたいという要望があった。
【０００６】
また、一対の中間部側オーナメントと後部側オーナメントとを突き合わせた状態でねじ締めにより締付固定する構造だけでは、オーナメント組立体に必要とされる剛性や強度が不足しやすい。
【０００７】
本発明の目的は、簡単な構成で剛性や強度を高めるとともに、ステアリングホイール本体の美観を向上させたステアリングホイール用オーナメントを提供することにある。
【課題を解決するための手段】
【０００８】
［１］本発明は、中央のハブと、環状のリムと、前記ハブ及び前記リムを連結する複数本のスポーク芯金とを有するステアリング本体に、前記複数本のスポーク芯金に対応して取り付けられる複数のオーナメントを備え、前記複数のオーナメントは、左右一対の第１及び第２オーナメントと、前記第１及び第２オーナメントの対向端面部にスライド挿入可能な第３オーナメントとからなり、前記第１オーナメント及び前記第３オーナメントの間に隙間を形成する対向端面と、前記第２オーナメント及び第３オーナメントの間に隙間を形成する対向端面とが、前記ステアリング本体の正面を向いた運転者の視線に対して交差して斜めに配置された傾斜面とされてなることを特徴とするステアリングホイール用オーナメントにある。
【０００９】
［２］本発明は、中央のハブと、環状のリムと、前記ハブ及び前記リムを連結する複数本のスポーク芯金とを有するステアリング本体に、前記複数本のスポーク芯金に対応して取り付けられる複数のオーナメントを備え、前記複数のオーナメントは、左右一対の第１及び第２オーナメントと、前記第１及び第２オーナメントの対向端面部にスライド挿入可能な第３オーナメントとからなり、前記第１オーナメント及び前記第３オーナメントの見切り面と、前記第２オーナメント及び第３オーナメントの見切り面とが、傾斜して設定されてなることを特徴とするステアリングホイール用オーナメントを提供する。
【００１０】
［３］上記［１］又は［２］記載の発明にあって、前記第３オーナメントの上下方向位置を規定する第１取付部と、前記第３オーナメントの左右方向位置を規定する第２取付部とが、前記第１及び第２オーナメントの対向端面部の間において交差して設けられ、前記第１取付部は、前記第１及び第２オーナメントの対向端面部に設けた取付板部又は取付凹部と、前記第３オーナメントの両端面部に設けた取付凹部又は取付板部とであり、前記第２取付部は、前記第１及び第２オーナメントの対向端面部に前記取付板部と交差して設けた案内リブ、又は前記取付凹部と交差して設けた案内凹部と、前記第３オーナメントの両端面部に前記取付凹部と交差して設けた案内凹部、又は前記取付板部と交差して設けた案内リブとであることを特徴とする。
【００１１】
［４］上記［３］記載の発明にあって、前記第１取付部及び前記第２取付部は、前記第１及び第２オーナメントの対向端面部に前記第３オーナメントをスライド挿入したとき、所定の挿入範囲で圧入された構成を有してなることを特徴とする。
【発明の効果】
【００１２】
３つの内装部品からなるオーナメントをスライド構造により互いに嵌め合わせて組み立てることで、剛性や強度を高めることができるとともに、ステアリングホイール本体の外観意匠性を向上させることができる。
【図面の簡単な説明】
【００１３】
【図１】本発明の好適な実施の形態であるステアリングホイール本体を概略的に示す正面図である。
【図２Ａ】ステアリングホイール本体に取り付けられるオーナメントを概略的に示す正面図である。
【図２Ｂ】図２Ａに示すオーナメントの右側面図である。
【図２Ｃ】図２Ａに示すオーナメントの裏面図である。
【図３】図２ＡのIII−III線の矢視断面拡大図である。
【図４】図２ＡのIV−IV線の矢視断面拡大図である。
【図５】図２ＡのV−V線の矢視断面拡大図である。
【図６】図２ＢのVI−VI線の矢視部分断面拡大図である。
【図７】図２ＢのVII−VII線の矢視部分断面拡大図である。
【発明を実施するための形態】
【００１４】
以下、本発明の好適な実施の形態を添付図面に基づいて具体的に説明する。この実施の形態は、３本のスポーク部を有する自動車用ステアリングホイールを例に挙げて説明するが、これに限定されるものではなく、例えば建設機械や農業機械などの車両用ステアリングホイールにも適用される。
【００１５】
（ステアリングホイール本体の全体構成）
図１において、全体を示す符号１は、この実施の形態に係る典型的なオーナメントを備えた自動車用のステアリングホイール本体を例示している。このステアリングホイール本体１は、ステアリングシャフトの先端に嵌着固定される中央の円筒状のハブと、このハブの上部に取り付けられるパッド部２と、リム芯金を被包する円環状のリム部３と、このリム部３のリム芯金及びハブを互いに連結する３本のスポーク芯金の一部を被包するスポーク部４，４，４とを備えている。ハブの下部には、ハブ及びステアリングシャフトの先端を挿通する開口を有する合成樹脂製の下部カバーが取り付けられる。パッド部２の外周部と、リム部３の外周部と、スポーク部４の一部の外周部とには、軟質の発砲ウレタン等からなる表皮部が被覆されている。
【００１６】
このステアリングホイール本体１のパッド部２は、オーナメント５と突き合わされる側壁を有するカバー体と、そのカバー体の裏面に突設される取付プレートとを有しており、その取付プレートが、左右一対のスポーク芯金のそれぞれに設けられた取付ブラケットにねじ締めにより締付固定されている。このカバー体の裏面には、溝部を薄肉に形成した脆弱なテアラインが設けられている。カバー体と取付プレートとの間に形成される収容空間内には、警笛ホーン、インフレータ、及びエアバッグなどが収容固定されている。
【００１７】
なお、ステアリングシャフト、ハブ、リム芯金、スポーク芯金、下部カバー、警笛ホーン、インフレータ、及びエアバッグなどのステアリングホイールの構成部品については、従来から広く知られた周知の構造を用いるため、その詳しい説明は省略する。
【００１８】
（オーナメントの全体構成）
このパッド部２の外周域には、図１に示すように、ステアリングホイール本体１の外観意匠性を向上させる装飾部材となるオーナメント５が３本のスポーク部４に跨って取り付けられている。このオーナメント５は、中間部側の２本のスポーク部４に対応する左右一対の中間部側オーナメント（第１及び第２オーナメント）１０，１０と、後部側の１本のスポーク部４に対応する後部側オーナメント（第３オーナメント）２０とを有する３つの内装部品からなり、合成樹脂材料を射出成形することで別体に形成されている。
【００１９】
この一対の中間部側オーナメント１０は、図１〜図２Ｃに示すように、一対の中間部側のスポーク部４の一部、及び後部側のスポーク部４の一部に跨ってパッド部２の外周面を沿う形状とされている。一方の後部側オーナメント２０は、後部側のスポーク部４の一部を覆う平面視で略逆台形状とされている。一対の中間部側オーナメント１０の対向端面部の間に後部側オーナメント２０の両側の端面部をスライド挿入して嵌め込むことで全体形状が平面略Ｙ字状をなすオーナメント組立体がオーナメント５として組み立てられる。
【００２０】
この一対の中間部側オーナメント１０の裏面には、図２Ａ〜図２Ｃに示すように、複数の格子状の補強リブ１１、及び補強リブ１１に連結された取付固定部１２が一体に形成されている。この中間部側オーナメント１０は、左右一対のスポーク芯金に対して係止ピン、係止リブ、及び係止爪などにより位置決めされるとともに、取付固定部１２を介してスポーク芯金に形成された取付台座にねじ締めにより締付固定される。
【００２１】
一方の後部側オーナメント２０の左右両側の端面部には、図２Ｃ及び図３に示すように、階段状の取付脚部２１が中間部側オーナメント１０の裏面方向に向けて延設されている。この取付脚部２１の自由端に形成された段差を有する先端側延設部２２は、中間部側オーナメント１０の裏面から下方に向けて突出した筒状の取付ボス１３にねじ締めにより締付固定されている。
【００２２】
以下、左右一対の中間部側オーナメント１０の右側について説明するが、左側も同様の形状及び構造からなり、左右対称になっている。なお、実質的に同じ部材には同一の部材名と符号を付している。従って、実質的に同じ部材に関する詳細な説明は省略する。
【００２３】
この実施の形態に係る基本の構成は、中間部側オーナメント１０の傾斜段差面１５と後部側オーナメント１０の傾斜面２５とによる傾斜面同士を対向させて配置した構造にある。この実施の形態に係るもう一つの基本の構成は、左右一対の中間部側オーナメント１０の対向端面部に後部側オーナメント２０の端面部を嵌め合わせるためにスライド移動させるスライド構造にある。
【００２４】
この中間部側オーナメント１０の対向端面部には、図３〜図５に示すように、上面端縁から所定の高さだけ下傾斜した傾斜段差面１５をもつ取付板部１４が一体に形成されている。この傾斜段差面１５は、図７に示すように、所定の角度をもって取付板部１４のパッド側（前部側）からリング側（後部側）に向けて徐々に狭まる斜め方向に形成されており、取付板部１４は平面視で略逆台形状をなしている。この取付板部１４の下面には、対向端面部側の端縁に対して平行に延びる板状の案内リブ１６が一体に形成されている。
【００２５】
一方、後部側オーナメント２０の左右両側の端面部には、図３〜図５に示すように、中間部側オーナメント１０の取付板部１４と対応して横方向に開口する取付凹部２３が形成されている。この取付凹部２３の下面を形成する下面部は、中間部側オーナメント１０の取付板部１４の後部側にスライド挿入して嵌め合わせる取付脚部２１とされている。この取付脚部２１には、取付凹部２３の空間と直交する縦方向に連通する案内凹部２４が形成されている。この案内凹部２４は、中間部側オーナメント１０の案内リブ１６と対応して平行に延びている。
【００２６】
中間部側オーナメント１０における取付板部１４の前部側の角部１９は、図７に示すように、円弧状に面取りされている。この取付脚部２１の先端側延設部２２を中間部側オーナメント１０の取付ボス１３を介してねじ締め固定しても、取付板部１４の角部１９と後部側オーナメント２０の取付凹部２３とが積極的に干渉し合うことがないようになっている。
【００２７】
この取付凹部２３の上面を形成する上面部の左右側端面は、図３及び図４に示すように、中間部側オーナメント１０の傾斜段差面１５と同じ方向に傾斜する傾斜面２５として形成されている。この傾斜面２５の上端縁側角部が鋭角となり、下端縁側角部が鈍角となっており、中間部側オーナメント１０の対向端面部と後部側オーナメント２０の端面部との間に形成された見切りの隙間Ｇによって凹溝の底面が見えないように凹溝の断面形状を略Ｖ字形状としている。
従って、一対の中間部側オーナメント１０及び後部側オーナメント２０の間に見切りの隙間Ｇを形成する傾斜段差面１５と傾斜面２５とが、ステアリング本体１の正面を向いた運転者の視線に対して交差して斜めに配置されることになる。
【００２８】
上記構成によると、中間部側オーナメント１０と後部側オーナメント２０とは別体になることから、中間部側オーナメント１０の対向端面部と後部側オーナメント２０の端面部とを嵌合した状態で両者の間には見切りの隙間Ｇが形成されるが、この隙間Ｇを小さくすることが可能になり、目立たなくすることができる。なお、中間部側オーナメント１０の傾斜段差面（見切り面）１５の傾斜角と後部側オーナメント２０の傾斜面（見切り面）２５の傾斜角とは異なっていてもよい。
【００２９】
図示例によるスライド構造にあっては、後部側オーナメント２０の上下方向位置を規定する第１取付部と、後部側オーナメント２０の左右方向位置を規定する第２取付部とが、一対の中間部側オーナメント１０の対向端面部間において交差して嵌め合わされる構成となっている。
【００３０】
この中間部側オーナメント１０の取付板部１４は、図３〜図５に示すように、後部側の上面及び下面が外方に突出する圧入用端部１７として形成されており、この圧入用端部１７の上端縁から所定の高さだけ下がった段差を介して前部側へ延びている。この取付板部１４の圧入用端部１７の肉厚Ｔ１は、取付板部１４の前端部の肉厚Ｔ２より大きく設定されている。
【００３１】
相手方の後部側オーナメント２０の取付凹部２３の内面は、図５に示すように、前後方向に取付板部１４の外形形態と互い違いの形状を有している。この取付凹部２３の前部側の上下面は、内方に突出する圧入段部２６として形成されるとともに、この圧入段部２６の上端縁から所定の高さだけ下がった段差を介して後部側へ延びている。
【００３２】
この取付板部１４の後端部における圧入用端部１７の肉厚Ｔ１は、図５に示すように、取付凹部２３の後端部における対向面間の間隔より大きく形成されるとともに、取付凹部２３の圧入段部２６の対向面間の間隔は、取付板部１４の前端部の肉厚Ｔ２より小さく形成されており、所定の挿入範囲で後部側オーナメント２０の一部が中間部側オーナメント１０の前後に圧入固定されるようになっている。
【００３３】
中間部側オーナメント１０の取付板部１４と後部側オーナメント２０の取付凹部２３とは第１取付部として構成される。この第１取付部は、図５に示すように、取付板部１４の後端部における圧入用端部１７と取付凹部２３との圧接状態で圧入固定するとともに、取付板部１４の前端部と取付凹部２３の圧入段部２６との圧接状態で圧入固定しているので、一定の挿入範囲で上下方向の位置を規定する機能を有する。
【００３４】
一方、この中間部側オーナメント１０の案内リブ１６、及び後部側オーナメント２０の案内凹部２４にあっても、中間部側オーナメント１０の取付板部１４、及び後部側オーナメント２０の取付凹部２３と同様の形状、及び寸法関係を有している。
【００３５】
この案内リブ１６は、図３〜図６に示すように、後部側の左面及び右面が外方に突出する圧入用端部１８として形成されており、この圧入用端部１８の上端縁から所定の高さだけ下がった段差を介して前部側へ延びている。この案内リブ１６の圧入用端部１８の肉厚Ｔ３は、案内リブ１６の前端部の肉厚Ｔ４より大きく設定されている。
【００３６】
相手方の案内凹部２４の内面は、図６に示すように、前後方向に案内リブ１６の外形形態と互い違いの形状を有している。この案内凹部２４の前端部における左右対向面は、内方に突出する圧入段部２７として形成されるとともに、この圧入段部２７の上端縁から所定の高さだけ下がった段差を介して後部側へ延びている。
【００３７】
この案内リブ１６の圧入用端部１８の肉厚Ｔ３は、図６に示すように、案内凹部２４の後端部における対向面間の間隔より大きく形成されるとともに、案内凹部２４の圧入段部２７の対向面間の間隔が案内リブ１６の前端部の肉厚Ｔ４より小さく形成されている。これにより、所定の挿入範囲で後部側オーナメント２０の一部が中間部側オーナメント１０の前後に圧入固定されるようになっている。
【００３８】
この中間部側オーナメント１０の案内リブ１６と後部側オーナメント２０の案内凹部２４とは第２取付部として構成される。この第２取付部は、図６に示すように、案内リブ１６の後端部における圧入用端部１８と案内凹部２４との圧接状態で圧入固定してあり、案内リブ１６の前端部と案内凹部２４の圧入段部２７との圧接状態で圧入固定してあるので、一定の挿入範囲で左右方向の位置を規定する機能を有する。
【００３９】
なお、取付板部１４の圧入用端部１７、取付凹部２３の圧入段部２６、案内リブ１６の圧入用端部１８、及び案内凹部２４の圧入段部２７の大きさ、形状、配置位置等を適切に設定することで、必要とするオーナメント組立体の剛性を高めることができる。また、取付板部１４の圧入用端部１７、取付凹部２３の圧入段部２６、案内リブ１６の圧入用端部１８、及び案内凹部２４の圧入段部２７をずらした位置に配することで、時間差をおいて圧入固定する構成であってもよい。
【００４０】
以上のように構成された第１及び第２取付部によると、上下前後端部及び左右前後端部に圧入固定手段が配されるため、中間部側オーナメント１０の対向端面部に後部側オーナメント２０の端面部をスライド挿入して嵌め込むとき、所定の挿入範囲で挿入力が作用することになり、容易にかつ的確に嵌合固定させることができるようになる。
【００４１】
中間部側オーナメント１０と後部側オーナメント２０とは、前後左右の端部の圧入面同士で圧入固定されるので、この圧入するという固定手段で、中間部側オーナメント１０と後部側オーナメント２０とが位置設定される。この圧入固定に加えて、後部側オーナメント２０における取付脚部２１の先端側延設部２２と、中間部側オーナメント１０の取付ボス１３とをねじ締めにより締付固定する機械的な抜け止め機構が採用されている。この抜け止め機構を採用することにより、中間部側オーナメント１０と後部側オーナメント２０の相対移動を更に一層抑制することで、必要とするオーナメント組立体の取付強度が高められる。
【００４２】
（実施の形態の効果）
この実施の形態に係るステアリングホイール用オーナメント５によれば、上記効果に加えて、以下の効果が得られる。
（１）中間部側オーナメント１０の取付板部２１及び案内リブ１６、後部側オーナメント２０の取付凹部２３及び案内凹部２４も全て挿入方向前後端部の圧入面同士の固定であるため、オーナメント５の曲げ方向やねじり方向などの外力に対して剛性などを高めることができる。
（２）オーナメント５の挿入方向前後端部の圧入面同士を圧入するという固定手段により、挿入方向の長さ寸法を長くすることなく、中間部側オーナメント１０と後部側オーナメント２０との接合面積を大きく設定することができるとともに、中間部側オーナメント１０と後部側オーナメント２０との相対位置関係を保持することができるようになり、取付強度などを高めることができる。
（３）後部側オーナメント２０の端面部における傾斜面２５が、中間部側オーナメント１０の傾斜段差面１５と同じ方向に傾斜する傾斜面に形成されているので、中間部側オーナメント１０のそれぞれの対向端面部と後部側オーナメント２０の両側端面部との間の隙間Ｇの偏差を少なくすることが可能になる。
（４）後部側オーナメント２０の傾斜面２５と中間部側オーナメント１０の傾斜段差面１５とによる傾斜面同士を対向させることにより、両者間の隙間Ｇが小さくなり、外観の見栄えを向上させることができるとともに、最終製品として商品価値を高めた良好なステアリングホイール本体が得られる。
【００４３】
（オーナメントの変形例）
本発明にあっては、例えば次に示すような他の変形例も可能である。
（１）図示例では、中間部側オーナメント１０の取付板部１４に後部側オーナメント２０の取付凹部２３をスライド挿入して嵌合するとともに、中間部側オーナメント１０の案内リブ１６に後部側オーナメント２０の案内凹部２４をスライド挿入して嵌合するスライド構造を例示したが、図示例に限定されるものではない。このスライド構造の他の一例としては、中間部側オーナメント１０に形成した取付凹部及び案内凹部に対して、後部側オーナメント２０に形成した取付板部及び案内リブをスライド挿入して嵌合するスライド構造であっても、上記実施の形態の初期の目的を達成することができる。
（２）圧入用端部１７，１８と圧入段部２６，２７とからなる固定手段としては、図示例に限定されるものではなく、雄部材と雌部材とによる嵌脱自在の固定手段を用いることもできるが、例えば圧入用端部１７，１８と圧入段部２６，２７との圧入面を前端部側から後端部側に向かって漸次拡がったテーパ傾斜面に形成することで、相対する中間部側オーナメント１０の対向端面部の間に後部側オーナメント２０を固定してもよい。この構成を採用することで、一定の挿入範囲で中間部側オーナメント１０と後部側オーナメント２０との間に傾斜面による楔作用を発生させ、中間部側オーナメント１０に対する後部側オーナメント２０の位置ずれを吸収した位置合わせが可能となる。
（３）図示例では、一対の中間部側オーナメント１０における取付板部１４の傾斜段差面１５は、取付板部１４の前部側から後部側に向けて徐々に狭める斜め方向に形成されていたが、図示例に限定されるものではなく、例えば中間部側オーナメント１０の傾斜段差面１５を挿入方向に平行に形成してもよい。この場合は、後部側オーナメント２０は平面直方形状に形成される。
【００４４】
以上の説明からも明らかなように、本発明のステアリングホイール用オーナメントの代表的な構成例を上記実施の形態、変形例、及び図示例を挙げて説明したが、上記実施の形態、変形例、及び図示例は特許請求の範囲に係る発明を限定するものではない。上記実施の形態、変形例、及び図示例の中で説明した特徴の組合せの全てが本発明の課題を解決するための手段に必須であるとは限らない点に留意すべきであり、本発明の技術思想の範囲内において種々の構成が可能であることは勿論である。
【符号の説明】
【００４５】
１…ステアリングホイール本体、２…パッド部、３…リム部、４…スポーク部、５…オーナメント、１０…中間部側オーナメント、１１…補強リブ、１２…取付固定部、１３…取付ボス、１４…取付板部、１５…傾斜段差面、１６…案内リブ、１７，１８…圧入用端部、１９…角部、２０…後部側オーナメント、２１…取付脚部、２２…先端側延設部、２３…取付凹部、２４…案内凹部、２５…傾斜面、２６，２７…圧入段部、Ｇ…隙間、Ｔ１〜Ｔ４…肉厚
【図１】
0005399425.tif 000002
【図２Ａ】
0005399425.tif 000003
【図２Ｂ】
0005399425.tif 000004
【図２Ｃ】
0005399425.tif 000005
【図３】
0005399425.tif 000006
【図４】
0005399425.tif 000007
【図５】
0005399425.tif 000008
【図６】
0005399425.tif 000009
【図７】
0005399425.tif 000010